(57)【要約】【課題】多機能を有するタッチ式透明入力装置を提供すること。【解決手段】本発明のタッチ式透明入力装置は、タッチパレットと、タッチパレットに電気的に接続する透明表示モジュールと、中央処理ユニットと、タッチパレット制御器と、表示モジュール制御器と、を備える。タッチパレットは、透明表示モジュールの上面に被覆して設けられ、透明表示モジュールには少なくとも１つの切替キーが設けられる。中央処理ユニットは、切替キーの制御信号に基づいてタッチ式透明入力装置の動作モードを入力モード又は表示モードのいずれかに切り替え、且つ表示モジュール制御器を介して透明表示モジュールを制御して、動作モードに対応する画面を表示させる。タッチパレット制御器は、透明表示モジュールが表示した画面上のユーザーによるタッチ位置或いは入力トラックを判断して、このタッチ位置或いは入力トラックに対応する情報を中央処理ユニットに伝送する。【選択図】図５
2011253524.tif 000002
【特許請求の範囲】
【請求項１】
タッチパレットと、
前記タッチパレットに電気的に接続する透明表示モジュールと、
中央処理ユニットと、
タッチパレット制御器と、
表示モジュール制御器と、
を備えるタッチ式透明入力装置において
前記タッチパレットは、前記透明表示モジュールの上面に被覆して設けられ、前記透明表示モジュールには少なくとも１つの切替キーが設けられ、
前記中央処理ユニットは、前記切替キーの制御信号に基づいて前記タッチ式透明入力装置の動作モードを入力モード又は表示モードのいずれかに切り替え、且つ前記表示モジュール制御器を介して前記透明表示モジュールを制御して、前記動作モードに対応する画面を表示させ、
前記タッチパレット制御器は、前記透明表示モジュールが表示した画面上のユーザーによるタッチ位置或いは入力トラックを判断して、該タッチ位置或いは入力トラックに対応する情報を前記中央処理ユニットに伝送することを特徴とするタッチ式透明入力装置。
【請求項２】
前記入力モードは、マウスモード、手書きモード及びキーボードモードの何れか１つであり、
前記表示モードは電子書モードであることを特徴とする請求項１に記載のタッチ式透明入力装置。
【請求項３】
前記タッチ式透明入力装置は、インターフェースユニット及び無線モジュールをさらに備え、
前記中央処理ユニットは前記インターフェースユニットを介して外部表示設備に電気的に接続し、且つ前記無線モジュールを介して外部表示設備と信号を無線伝送することを特徴とする請求項２に記載のタッチ式透明入力装置。
【請求項４】
前記透明表示モジュールは、上から下に向かって順次積層配置される保護層、第一導電層、透明有機層、第二導電層及び基板を含み、
前記保護層の底面には前記第一導電層が設けられ、
前記基板の上面には前記第二導電層が設けられ、
前記透明有機層が前記第一導電層と第二導電層との間に挟まれて配置されることを特徴とする請求項２に記載のタッチ式透明入力装置。
【請求項５】
前記タッチ式透明入力装置は、前記中央処理ユニットに電気的に接続するメモリーをさらに備え、前記メモリーは前記透明表示モジュールの表示情報を格納するために用いられることを特徴とする請求項１に記載のタッチ式透明入力装置。
【請求項６】
前記少なくとも１つの切替キーは、前記透明表示モジュールにより表示される仮想キー或いは前記透明表示モジュール上に設けられる実体の透明押しボタンであることを特徴とする請求項１に記載のタッチ式透明入力装置。
【発明の詳細な説明】
【技術分野】
【０００１】
本発明は、タッチ式透明入力装置に関するものである。
【背景技術】
【０００２】
キーボード、マウス及び手書き板は、電子表示装置の中で最も常用されている入力装置である。従来のキーボード、マウス及び手書き板は、殆ど独立して電子装置に配置されて、それぞれ単一の機能を果たす。ユーザーは電子装置に入力する場合、上記各種の入力装置を交互に取換えなければならず、操作が不便である。前記問題を解決するために、キーボードの片側に手書き板が設けられた入力装置が提案されている。しかし、このタイプの手書き板は、面積が小さいので、入力する際に不便に感じる。しかも、既存の入力装置の外観及び機能があまりにも単調であり、ユーザーの多様化したニーズを満たすことができない。
【発明の概要】
【発明が解決しようとする課題】
【０００３】
本発明は、上記の問題点を考慮してなされたものであり、多機能を有するタッチ式透明入力装置を提供することを目的とする。
【課題を解決するための手段】
【０００４】
前記課題を解決するために、本発明に係るタッチ式透明入力装置は、タッチパレットと、前記タッチパレットに電気的に接続する透明表示モジュールと、中央処理ユニットと、タッチパレット制御器と、表示モジュール制御器と、を備える。前記タッチパレットは、前記透明表示モジュールの上面に被覆して設けられ、前記透明表示モジュールには少なくとも１つの切替キーが設けられる。前記中央処理ユニットは、前記切替キーの制御信号に基づいて前記タッチ式透明入力装置の動作モードを入力モード又は表示モードのいずれかに切り替え、且つ前記表示モジュール制御器を介して前記透明表示モジュールを制御して、前記動作モードに対応する画面を表示させる。前記タッチパレット制御器は、前記透明表示モジュールが表示した画面上のユーザーによるタッチ位置或いは入力トラックを判断して、このタッチ位置或いは入力トラックに対応する情報を前記中央処理ユニットに伝送する。
【発明の効果】
【０００５】
従来の技術と比較して、本発明のタッチ式透明入力装置は、マウス、手書き板、キーボード及び電子書閲読機能を兼備え、且つ切替キーを介して異なる操作モードを素早く切り替えることができる。しかも、非通電の時、前記タッチ式透明入力装置全体が透明状を呈し、外観が美しい。
【図面の簡単な説明】
【０００６】
【図１】本発明の実施形態に係るタッチ式透明入力装置の分解図である。
【図２】図１に示したタッチ式透明入力装置の透明表示モジュールの断面図である。
【図３】図１に示したタッチ式透明入力装置の内部回路を示すブロック図である。
【図４】図１に示したタッチ式透明入力装置のマウスモード或いは手書きモードを示す図である。
【図５】図１に示したタッチ式透明入力装置のキーボードモードを示す図である。
【図６】図１に示したタッチ式透明入力装置の電子書モードを示す図である。
【発明を実施するための形態】
【０００７】
図１に示したように、本発明の実施形態に係るタッチ式透明入力装置１００は、タッチパレット１０及び前記タッチパレット１０に電気的に接続する透明表示装置３０を備える。前記タッチパレット１０は、前記透明表示装置３０の上面に設けられる。前記透明表示装置３０は、透明表示モジュール３１及び透明支持スタンド３３を含む。前記透明支持スタンド３３は、逆三角形を呈して、前記透明表示モジュール３１の背面の端縁に突設される。前記透明支持スタンド３３が存在するため、前記タッチ式透明入力装置１００（キーボード）が卓上に配置されると、略傾斜状態になる。好ましくは、前記透明表示モジュール３１は、透明有機発光ダイオード表示装置（ｔｒａｎｓｐａｒｅｎｔ  ｏｒｇａｎｉｃ  ｌｉｇｈｔ  ｅｍｉｔｔｉｎｇ  ｄｉｏｄｅ  ｄｉｓｐｌａｙ，ＴＯＬＥＤ）或いは透明エレクトロルミネッセンス表示装置（ｆｉｅｌｄ−ｅｍｉｓｓｉｏｎ  ｄｉｓｐｌａｙ，ＦＥＤ）である。以下の実施形態では、透明有機発光ダイオード表示装置を例として詳細に説明する。
【０００８】
図２に示したように、前記透明表示モジュール３１は、上から下に向かって順次に積層されている保護層３１１、第一導電層３１３、透明有機層３１５、第二導電層３１７及び基板３１９を備える。前記保護層３１１及び前記基板３１９は、ガラス或いは樹脂などの透明材料からなる。前記保護層３１１の背面には前記第一導電層３１３が設けられ、前記基板３１９の上面には前記第二導電層３１７が設けられる。前記第一導電層３１３及び前記第二導電層３１７は、インジウム錫酸化物（ＩＴＯ）などの透明導電材料からなる。前記透明有機層３１５は、前記第一導電層３１３と前記第二導電層３１７との間に挟まれて配置される。前記透明表示モジュール３１が通電される場合、前記第一導電層３１３及び第二導電層３１７の電圧差により、前記透明有機層３１５内の電子が運動して、正孔を発生する。前記電子と前記正孔が再び結合する際に、光を発する方式で余分のエネルギーを放出する。前記透明表示モジュール３１は、画面の表示を制御する表示駆動回路（図示せず）を含む。この表示駆動回路の駆動原理は、前記有機発光表示装置（ｏｒｇａｎｉｃ  ｌｉｇｈｔ  ｅｍｉｔｔｉｎｇ  ｄｉｏｄｅ  ｄｉｓｐｌａｙ，ＯＬＥＤ）の駆動原理と同じであり、ここで詳しい説明を省略する。前記表示駆動回路は、前記透明表示モジュール３１の側辺に設けられるか、又はインジウムガリウム（Ｉｎｄｉｕｍ  Ｇａｌｌｉｕｍ）酸化物によって透明な集積制御モジュールを形成することにより、前記保護層３１１或いは前記基板３１９上に設けられる。
【０００９】
図３に示したように、前記タッチ式透明入力装置１００は制御ユニット１２を備える。前記制御ユニット１２は、インターフェースユニット５１、無線モジュール５２、中央処理ユニット５３、メモリー５５、タッチパレット制御器５７及び表示モジュール制御器５９を備える。前記タッチ式透明入力装置１００は、前記インターフェースユニット５１を介して外部表示設備（例えば、コンピューター）に電気的に接続されて、信号及びデータを伝送する。前記タッチ式透明入力装置１００は、前記無線モジュール５２を介して外部表示設備との間で信号或いはデータを無線伝送する。前記無線モジュール５２は、無線受信モジュール５２１及び無線送信モジュール５２３を含む。前記無線受信モジュール５２１は、前記タッチ式透明入力装置１００に着脱可能に設けられ、或いは単独して配置される。前記無線送信モジュール５２３は、前記タッチ式透明入力装置１００に装着される。
【００１０】
前記タッチ式透明入力装置１００が無線モードで動作する場合、前記無線受信モジュール５２１は、外部表示設備に電気的に接続されて、前記無線送信モジュール５２３から送信された信号を受信する。ユーザーが前記タッチパレット１０に接触すると、前記タッチパレット制御器５７は、接触位置を識別して、前記接触位置に対応する信号を前記中央処理ユニット５３に伝送する。前記中央処理ユニット５３は、前記表示モジュール制御器５９を介して前記透明表示装置３０に異なる動作モードの画面を表示させるように制御する。前記メモリー５５は、前記透明表示装置３０の表示情報を格納するために用いられる。前記制御ユニット１２は、前記タッチ式透明入力装置１００の側辺に設けられるか、又はインジウムガリウム（Ｉｎｄｉｕｍ  Ｇａｌｌｉｕｍ）酸化物によって透明な集積制御モジュールを形成することにより、前記透明表示装置３０上に設けられる。
【００１１】
以下、図４乃至図６を参照しながら、前記タッチ式透明入力装置１００の動作過程について詳細に説明する。
【００１２】
前記タッチ式透明入力装置１００に通電しない場合、その全体が透明状を呈する。前記タッチ式透明入力装置１００に通電する場合、前記透明表示モジュール３１は少なくとも１つの切替キー３７を表示する。ユーザーは、前記タッチパレット１０を介して前記切替キー３７にタッチすると、前記切替キー３７の制御信号が前記中央処理ユニット５３に伝送され、前記中央処理ユニット５３は前記タッチ式透明入力装置１００の動作モードを切り替える。前記切替キー３７は、キーボードモードキー、手書きモードキー及び電子書モードキーなどの異なる動作モードを表示する複数の仮想切替キーであることができる。前記切替キー３７が１つの仮想切替キーであることもでき、ユーザーは前記切替キー３７を複数回タッチすることにより、異なる動作モードの切替を実現する。本実施形態において、前記タッチ式透明入力装置１００は、マウスモード、手書きモード、キーボードモード及び電子書モードという４つの動作モードを含む。
【００１３】
図４は、前記タッチ式透明入力装置１００のマウスモード或いは手書きモードにおける表示画面を示す。ユーザーが前記切替キー３７を操作して、前記タッチ式透明入力装置１００をマウスモード或いは手書きモードに切り替えると、前記中央処理ユニット５３は、前記表示モジュール制御器５９を介して前記透明表示モジュール３１を制御して、入力エリア３９を表示する。前記入力エリア３９内のカーソル操作或いは手書き入力トラックが電気信号に転換されて前記中央処理ユニット５３に伝送される。前記中央処理ユニット５３は、前記インターフェースユニット５１或いは前記無線モジュール５２を介して、この電気信号を外部表示設備に伝送して、それにより表示する。
【００１４】
図５は、前記タッチ式透明入力装置１００のキーボードモードにおける表示画面を示す。ユーザーが前記切替キー３７を介して、前記タッチ式透明入力装置１００をキーボードモードに切り替えると、前記中央処理ユニット５３は、前記表示モジュール制御器５９を介して前記透明表示モジュール３１を制御して、キーアイコンエリア３２を表示する。ユーザーの前記キーアイコンエリア３２内での入力操作が電気信号に変換されて前記中央処理ユニット５３に伝送される。前記中央処理ユニット５３は、前記インターフェースユニット５１或いは前記無線モジュール５２を介して、この電気信号を外部表示設備に伝送して、それにより表示する。前記キーボードモードにおいて、ユーザーは引続き前記切替キー３７をタッチすることにより、異なる言葉或いは異なるポジション配列のキーボード画面を選択することができる。前記多種のキーボード画面の情報は、前記メモリー５５或いは前記表示モジュール制御器５９内に格納される。
【００１５】
図６は、前記タッチ式透明入力装置１００の電子書モードにおける表示画面を示す。ユーザーが前記切替キー３７を介して、前記タッチ式透明入力装置１００を電子書モードに切り替えると、前記中央処理ユニット５３は、前記表示モジュール制御器５９を介して前記透明表示モジュール３１を制御して、機能メニュー３４を表示する。ユーザーは、前記機能メニュー３４をタッチして選択することにより電子書を閲読することができる。外部表示設備は、前記インターフェースユニット５１或いは前記無線モジュール５２を介して、前記中央処理ユニット５３に電子書ファイルを伝送し、前記中央処理ユニット５３はこの電子書ファイルを前記メモリー５５内に格納する。前記透明表示装置３０内に無線ＬＡＮカードを設けて、インターネットから電子書ファイルをダウンロードして閲読することもできる。
【００１６】
本発明のタッチ式透明入力装置１００は、マウス、手書き板、キーボード及び電子書閲読機能を兼備え、且つ前記切替キー３７を介して異なる操作モードを素早く切り替えることができる。しかも、非通電の時、前記タッチ式透明入力装置１００全体が透明状を呈し、外観が美しい。
【００１７】
また、前記マウスモード、前記手書きモード及び前記キーボードモードを入力モードと総称し、前記電子書モードを表示モードと称することができる。
【００１８】
また、前記タッチパレット１０は、静電容量式、抵抗膜式、表面音波式或いは光学式タッチパレットであることができる。
【００１９】
また、前記切替キー３７は、前記透明表示モジュール３１の表面或いは側面に設けられる実体の透明押しボタンであることができる。
【００２０】
以上、本発明の好適な実施形態について詳細に説明したが、本発明は前記実施形態に限定されるものではなく、本発明の範囲内において種々の変形又は修正が可能であり、該変形又は修正も又、本発明の特許請求の範囲内に含まれるものであることは、いうまでもない。
【符号の説明】
【００２１】
１０  タッチパレット
１２  制御ユニット
３０  透明表示装置
３１  透明表示モジュール
３２  キーアイコンエリア
３３  透明支持スタンド
３４  機能メニュー
３７  切替キー
３９  入力エリア
５１  インターフェースユニット
５２  無線モジュール
５３  中央処理ユニット
５５  メモリー
５７  タッチパレット制御器
５９  表示モジュール制御器
１００  タッチ式透明入力装置
３１１  保護層
３１３  第一導電層
３１５  透明有機層
３１７  第二導電層
３１９  基板
５２１  無線受信モジュール
５２３  無線送信モジュール
【図１】
2011253524.tif 000003
【図２】
2011253524.tif 000004
【図３】
2011253524.tif 000005
【図４】
2011253524.tif 000006
【図５】
2011253524.tif 000007
【図６】
2011253524.tif 000008